(57)【要約】【課題】シート材にしわを寄せずにシート材をドラムに固定するシート材固定装置、およびドラム型露光装置を提供することを目的とする。【解決手段】ドラムとの間にシート材を挟んで、ドラムに着脱可能に固定される複数のチャックと、シート材をドラムに押し付ける押さえ補助部材と、チャックおよび押さえ補助部材を保持するチャック保持部とを備える。チャック保持部が、チャックよりも押さえ補助部材のほうがドラムの周面に近づけて保持することで、チャックよりも押さえ補助部材を先にシート材に接触させ、シート材のしわを開放してからチャックをドラムに固定する。【選択図】　　　　図３
2004142873.tif 000002
【特許請求の範囲】
【請求項１】
シート材を周面に巻き付けて回転するドラム上に着脱自在な、該シート材を該ドラムとの間に挟み込んで該ドラム上に固定されることにより該シート材を該ドラムに固定するチャックと、
前記シート材を前記ドラムに押さえつける押さえ補助部材と、
前記チャックを、前記ドラムの周面と距離を置いた待機位置に、該ドラムの回転軸に沿う方向に複数並べて保持し、保持した複数のチャックを該待機位置から該ドラム上に移動させて固定するとともに、前記押さえ補助部材も保持し、該押さえ補助部材を前記チャックとともに前記ドラム上に移動させて、該チャックが前記シート材に接触するよりも先に該押さえ補助部材を該シート材に接触させるチャック保持部とを備えたことを特徴とするシート材固定装置。
【請求項２】
前記チャック保持部は、前記押さえ補助部材を、前記待機位置に沿う位置に前記ドラムの回転軸に沿う方向に複数並べて保持し、該待機位置に複数並べて保持したチャックのうちの所定のチャックに近い位置にある押さえ補助部ほど先に前記シート材に接触させて、該所定のチャックから遠い位置にある押さえ補助部ほど後に前記シート材に接触させるものであることを特徴とする請求項１記載のシート材固定装置。
【請求項３】
シート材を周面に巻き付けて回転するドラム上に着脱自在な、該シート材を該ドラムとの間に挟み込んで該ドラム上に固定されることにより該シート材を該ドラムに固定するチャックと、
前記チャックを、前記ドラムの周面と距離を置いた待機位置に、該ドラムの回転軸に沿う方向に複数並べて保持し、並べて保持した複数のチャックを、チャックの並びの一方が他方よりも先に前記ドラムの周面に近づくように傾けた状態で該待機位置から該ドラム上に移動させ、それら複数のチャックを順次に前記シート材に接触させて前記ドラム上に固定するチャック保持部とを備えたことを特徴とするシート材固定装置。
【請求項４】
シート材を周面に巻き付けて回転するドラム上に着脱自在な、該シート材を該ドラムとの間に挟み込んで該ドラム上に固定されることにより該シート材を該ドラムに固定するチャックと、
前記チャックを、前記ドラムの周面と距離を置いた待機位置に、該ドラムの回転軸に沿う方向に複数並べて保持するとともに、並べて保持した複数のチャックのうちの所定のチャックに近いものほど前記ドラムの周面に近づけて保持し、複数のチャックのうちの該所定のチャックから遠いものほど前記ドラムの周面から遠ざけて保持して、それら複数のチャックを該待機位置から該ドラム上に移動させ、前記所定チャックから順次に前記シート材に接触させて前記ドラム上に固定するチャック保持部とを備えたことを特徴とするシート材固定装置。
【請求項５】
シート状の感光材料を巻き付けたドラムを回転させるとともに、前記ドラム上の感光材料をドラムの回転軸方向へ光で走査して該感光材料を露光するドラム型露光装置において、
前記ドラム上に着脱自在な、前記感光材料を該ドラムとの間に挟み込んで該ドラム上に固定されることにより該感光材料を該ドラムに固定するチャックと、
前記感光材料を前記ドラムに押さえつける押さえ補助部材と、
前記チャックを、前記ドラムの周面と距離を置いた待機位置に、該ドラムの回転軸に沿う方向に複数並べて保持し、保持した複数のチャックを該待機位置から該ドラム上に移動させて固定するとともに、前記押さえ補助部材も保持し、該押さえ補助部材を前記チャックとともに前記ドラム上に移動させて、該チャックが前記感光材料に接触するよりも先に該押さえ補助部材を該感光材料に接触させるチャック保持部とを備えたことを特徴とするドラム型露光装置。
【発明の詳細な説明】
【０００１】
【発明の属する技術分野】
本発明は、ドラムに巻きつけられたシート材をドラムとの間に挟み込んでシート材をドラム上に固定するシート材固定装置、および回転するドラムに巻きつけたシート状の感光材料を露光するドラム型露光装置に関する。
【０００２】
【従来の技術】
従来、印刷の分野においては、ＰＳ版（Ｐｒｅｓｅｎｓｉｔｉｚｅｄ　Ｐｌａｔｅ）とよばれる、アルミニウムの薄板などに親水層と感光層を順に重ねたシート状の原版をドラムに巻き付け、ドラムを回転させながら原稿画像に基づく光ビームを原版に照射して原版を露光するドラム型露光装置が広範に用いられている。このようなドラム型露光装置においては、ドラムが回転しているときに原版がずれたり、ドラムと原版との間に浮きが生じたりするのを防ぐために、原版をドラムに密着させて固定する機構が必要となる。この機構のひとつとして、ドラムとの間に原版を挟みこんでドラムに着脱可能に固定される複数のチャックと、それらのチャックをドラムに着脱するチャック着脱手段とを備えた原版固定装置が知られている（例えば特許文献１参照）。この原版固定装置は、センサなどで原版の端を検知し、検知された原版の端をチャックとドラムとの間に挟んで、チャックをドラムに固定する。この原版固定装置によると、原版がドラム上のどの位置に巻きついていても原版をドラムに固定することができ、例えば、数種のサイズの原版が混合して使用される場合などにも、この原版固定装置を適用することができる。
【０００３】
【特許文献１】
特開２００２−４６８９０号公報（第５頁、第６頁、第１図）
【０００４】
【発明が解決しようとする課題】
ここで、複数のチャックで１枚の原版を挟む場合、チャックをドラムに固定する順番によっては、原版にしわがよってしまい、そのまま露光すると、光ビームのピントずれや、画像のゆがみ等の原因となるという問題がある。通常、Ｃ（シアン）、Ｍ（マゼンタ）、Ｙ（イエロー）、Ｋ（黒）各色用の原版が露光され、露光された各原版が現像機で現像されて、各原版のうちの光ビームによって照射された部分のみ感光層が残り、それ以外の部分は親水層が露出した印刷版が生成される。さらに、それらの印刷版は印刷機に固定されて、各印刷版の感光層にのみ各色のインクが塗布され、１版ずつ版画像を重ね合わせるようにして用紙に印刷画像が印刷される。このため、露光時に、ある色の原版にピントずれや画像のゆがみが生じると、印刷画像を構成する各色の版画像が重なり合わず、印刷画像がぼやけた画像になってしまう。
【０００５】
また、上記のように、シート材にしわがよってしまうという問題は、ドラム型露光装置だけに限らず、複数のチャックで薄板などのシート材をドラムに固定するシート材固定装置を備えた装置全般に共通する問題である。
【０００６】
本発明は上記事情に鑑み、シート材にしわを寄せずにシート材をドラムに固定するシート材固定装置、およびドラム型露光装置を提供することを目的とする。
【０００７】
【課題を解決するための手段】
上記目的を達成するために、請求項１に記載した本発明の第１のシート材固定装置は、シート材を周面に巻き付けて回転するドラム上に着脱自在な、シート材をドラムとの間に挟み込んでドラム上に固定されることによりシート材をドラムに固定するチャックと、
シート材をドラムに押さえつける押さえ補助部材と、
チャックを、ドラムの周面と距離を置いた待機位置に、ドラムの回転軸に沿う方向に複数並べて保持し、保持した複数のチャックを待機位置からドラム上に移動させて固定するとともに、押さえ補助部材も保持し、押さえ補助部材をチャックとともにドラム上に移動させて、チャックがシート材に接触するよりも先に押さえ補助部材をシート材に接触させるチャック保持部とを備えたことを特徴とする。
【０００８】
本発明の第１のシート材固定装置は、押さえ補助部材を有し、その押さえ補助部材をチャックよりも先にシート材に接触させる。まず、押さえ補助部材でシート材を押えて、シート材のしわを開放してから、ドラムとチャックとの間にシート材を挟み込んでチャックをドラムに固定することにより、しわを寄せずにシート材をドラムに固定することができる。
【０００９】
また、本発明の第１のシート材固定装置において、上記のチャック保持部は、押さえ補助部材を、待機位置に沿う位置にドラムの回転軸に沿う方向に複数並べて保持し、待機位置に複数並べて保持したチャックのうちの所定のチャックに近い位置にある押さえ補助部ほど先にシート材に接触させて、所定のチャックから遠い位置にある押さえ補助部ほど後にシート材に接触させるものであることが好ましい。
【００１０】
複数の押さえ補助部材を、所定のチャックに近い位置にあるものから順にシート材に接触させることによって、シート材のしわをよりしっかりと伸ばすことができる。
【００１１】
また、本発明の第１のシート材固定装置において、上記のチャック保持部は、押さえ補助部材を、待機位置に沿う位置にドラムの回転軸に沿う方向に複数並べて保持し、待機位置に複数並べて保持したチャックのうちの所定のチャックに近い位置にある押さえ補助部材ほどドラムの周面に近く保持し、所定のチャックから遠い位置にある押さえ補助部材ほどドラムの周面から遠く保持するものであることがことが好ましい。
【００１２】
所定のチャックに近い位置にある押さえ補助部材ほどドラムの周面に近づけて保持することにより、容易に所定のチャックに近い位置にある押さえ補助部材から順にシート材に接触させることができる。
【００１３】
また、請求項３に記載した本発明の第２のシート材固定装置は、シート材を周面に巻き付けて回転するドラム上に着脱自在な、シート材をドラムとの間に挟み込んでドラム上に固定されることによりシート材をドラムに固定するチャックと、
チャックを、ドラムの周面と距離を置いた待機位置に、ドラムの回転軸に沿う方向に複数並べて保持し、並べて保持した複数のチャックを、チャックの並びの一方が他方よりも先にドラムの周面に近づくように傾けた状態で待機位置からドラム上に移動させ、それら複数のチャックを順次にシート材に接触させてドラム上に固定するチャック保持部とを備えたことを特徴とする。
【００１４】
本発明の第２のシート材固定装置は、複数のチャックを並べて保持し、それらのチャックの並びの一方を傾けながらチャックをドラムの周面に近づけて、片端のチャックから順次シート材に接触させる。したがって、シート材のしわを開放しながらシート材をドラムに固定することができる。
【００１５】
また、請求項４に記載した本発明の第３のシート材固定装置は、シート材を周面に巻き付けて回転するドラム上に着脱自在な、シート材をドラムとの間に挟み込んでドラム上に固定されることによりシート材をドラムに固定するチャックと、
チャックを、ドラムの周面と距離を置いた待機位置に、ドラムの回転軸に沿う方向に複数並べて保持するとともに、並べて保持した複数のチャックのうちの所定のチャックに近いものほどドラムの周面に近づけて保持して、複数のチャックのうちの所定のチャックから遠いものほどドラムの周面から遠ざけて保持し、それら複数のチャックを待機位置からドラム上に移動させ、所定チャックから順次にシート材に接触させてドラム上に固定するチャック保持部とを備えたことを特徴とする。
【００１６】
本発明の第３のシート材固定装置は、複数のチャックを有し、所定のチャックに近い位置にあるチャックほどドラムの周面に近づけて保持する。それらのチャックをまとめて待機位置からドラム上に移動させることによって、所定のチャックに近い位置にあるものほど先にシート材に接触させ、シート材のしわを開放しながらシート材をドラムに固定することができる。
【００１７】
また、請求項５に記載した本発明の第１のドラム型露光装置は、シート状の感光材料を巻き付けたドラムを回転させるとともに、ドラム上の感光材料をドラムの回転軸方向へ光で走査して感光材料を露光するドラム型露光装置において、
ドラム上に着脱自在な、感光材料をドラムとの間に挟み込んでドラム上に固定されることにより感光材料をドラムに固定するチャックと、
感光材料を前記ドラムに押さえつける押さえ補助部材と、
チャックを、ドラムの周面と距離を置いた待機位置に、ドラムの回転軸に沿う方向に複数並べて保持し、保持した複数のチャックを待機位置からドラム上に移動させて固定するとともに、押さえ補助部材も保持し、押さえ補助部材をチャックとともにドラム上に移動させて、チャックが感光材料に接触するよりも先に押さえ補助部材を感光材料に接触させるチャック保持部とを備えたことを特徴とする。
【００１８】
本発明の第１のドラム型露光装置によると、押さえ補助部材をチャックより先に感光材料に接触させてからチャックをドラムに固定することにより、しわを寄せずに感光材料をドラムに固定することができ、露光の際のピントずれや画像のゆがみなどを防ぐことができる。
【００１９】
また、本発明の第２のドラム型露光装置は、シート状の感光材料を巻き付けたドラムを回転させるとともに、ドラム上の感光材料をドラムの回転軸方向へ光で走査して感光材料を露光するドラム型露光装置において、ドラム上に着脱自在な、感光材料をドラムとの間に挟み込んでドラム上に固定されることにより感光材料をドラムに固定するチャックと、
チャックを、ドラムの周面と距離を置いた待機位置に、ドラムの回転軸に沿う方向に複数並べて保持し、並べて保持した複数のチャックを、チャックの並びの一方が他方よりも先にドラムの周面に近づくように傾けた状態で待機位置からドラム上に移動させ、それら複数のチャックを順次に前記感光材料に接触させてドラム上に固定するチャック保持部とを備えたことを特徴とする。
【００２０】
さらに、本発明の第３のドラム型露光装置は、シート状の感光材料を巻き付けたドラムを回転させるとともに、ドラム上の感光材料をドラムの回転軸方向へ光で走査して感光材料を露光するドラム型露光装置において、ドラム上に着脱自在な、感光材料をドラムとの間に挟み込んでドラム上に固定されることにより感光材料をドラムに固定するチャックと、
チャックを、ドラムの周面と距離を置いた待機位置に、ドラムの回転軸に沿う方向に複数並べて保持するとともに、並べて保持した複数のチャックのうちの所定チャックに近いものほどドラムの周面に近づけて保持し、複数のチャックのうちの所定チャックから遠いものほどドラムの周面から遠ざけて保持して、それら複数のチャックを待機位置からドラム上に移動させ、所定チャックから順次に感光材料に接触させてドラム上に固定するチャック保持部とを備えたことを特徴とする。
【００２１】
複数並べて保持されたチャックを、例えば、片端のチャックからなど、所定のチャックから順次感光材料に接触させることで、感光材料のしわを開放しながら感光材料をドラムに固定することができ、露光の際のピントずれや画像のゆがみなどを防ぐことができる。
【００２２】
【発明の実施の形態】
以下、本発明の実施形態について説明する。
【００２３】
印刷画像を印刷する際には、まず、ワークステーションなどで、印刷画像を構成するＣＭＹＫ４色の各色版画像を表す各色用の画像データが生成される。これらの画像データは画像露光装置に入力される。画像露光装置では、アルミニウムなどの薄板上に親水層と感光層とが順に重ねられた原版に、入力された各画像データに基づいた光ビームがそれぞれ照射され、ＣＭＹＫ各色用の原版が露光される。露光された各原版は現像装置に装着されて現像が行われ、各原版の光ビームが照射された部分（各色版画像に相当する部分）のみ感光層が残り、それ以外の部分は感光層が除去されて親水層が露出した印刷版が生成される。さらに、これらの印刷版は印刷機に装着されて、印刷版の親水層が油性のインクをはじくことで印刷版の感光層にのみインクが塗布され、各色版画像が１版ずつ重ね合わさるように印刷されて印刷画像が形成される。以下では、この画像露光装置について説明する。
【００２４】
図１は、本発明の一実施形態が適用された画像露光装置を示す概略構成図である。
【００２５】
画像露光装置１０には、ドラム１００、先端チャック１２０、給排版ユニット２００、後端チャック保持部３００、後端チャック３１０、後端用押さえ３２０、先端チャック押離部４００、ローラ５００、および露光部６００が備えられている。
【００２６】
画像露光装置１０における本発明の一実施形態としての特徴は、後端チャック保持部３００、後端チャック３１０、および後端用押さえ３２０にあるが、まず、画像露光装置１０の全体の構成について説明する。
【００２７】
ドラム１００は、原版を周面に巻き付けて回転するドラムである。ドラム１００には、後述する後端チャック３１０を取り付けるために、ドラム１００の周面に沿うようにドラム１００の回転する方向に伸びる複数の溝が設けられている。このドラム１００は、本発明にいうドラムの一例に相当する。
【００２８】
先端チャック１２０は、ドラム１００上の回転軸方向に複数並べて搭載されており、原版の先端を把持して原版をドラム１００に固定する。先端チャック１２０は、先端チャック押離部４００によって押されるとチャックが開いてドラム１００との間に原版を固定する隙間を形成し、先端チャック押離部４００が離れるとチャックが閉じてドラム１００との間の隙間を閉じる。
【００２９】
給排版ユニット２００には、原版をドラム１００へ給版する給版ガイド２２０と、原版をドラム１００から排版する排版ガイド２１０とが具備されている。
【００３０】
後端チャック保持部３００は、ドラム１００の溝に１対１に相応してドラム１００の回転軸に沿う方向に並べられた複数の後端チャック３１０、および後端チャック３１０に相応して並べられた複数の後端用押さえ３２０を保持している。尚、後端チャック保持部３００は、ドラム１００の周面から所定の距離を置いた位置（以下、この位置を待機位置と称する）に、後端チャック３１０よりも後端用押さえ３２０の方がドラム１００の周面に近づくように、後端チャック３１０および後端用押さえ３２０を保持している。この待機位置は、本発明にいう待機位置の一例にあたる。ドラム１００が回転して、ドラム１００に巻きつけられている原版の後端が後端チャック保持部３００の真下に来ると、後端チャック保持部３００はドラム１００に向けて移動し、後端用押さえ３２０、後端チャック３１０の順に原版に接触させて、さらに、後端チャック３１０をドラム１００の溝に固定する。この後端チャック３１０は本発明におけるチャックの一例にあたる。また、後端用押さえ３２０は本発明における押さえ補助部材の一例にあたり、後端チャック保持部３００は本発明におけるチャック保持部の一例に相当する。
【００３１】
ここで、一旦図１の説明を中止し、図２を用いて後端チャック３１０をドラム１００に固定する方法について説明する。
【００３２】
図２は、後端チャック３１０の先端を示す図である。
【００３３】
図２（Ａ）に示すように、後端チャック３１０は、コマ部３１１とチャック部３１２とで構成されている。チャック部３１２は、原版を挟み込む部分であり、コマ部３１１が貫通している。コマ部３１１は底面が楕円形を構成しており、図１に示す後端チャック保持部３００によって回転自在に保持されている。ドラム１００の溝１１０は、入口ほど狭く奥ほど広い形状をしており、後端チャック３１０のコマ部３１１は、底面の楕円の長径が溝１１０の伸びる方向に沿うように溝１１０に嵌入される。コマ部３１１が溝１１０に嵌入されると、図１の後端チャック保持部３００は、コマ部３１１を９０度回転させる。
【００３４】
図２（Ｂ）は、コマ部３１１を回転させたときの後端チャック３１０を示している。コマ部３１１が回転すると、底面の楕円の長径が溝１１０の伸びる方向と直交するように配置される。このとき、溝１１０の入口よりも楕円の長径の方が長くなり、コマ部３１１は溝１１０から抜けることのないように固定される。
【００３５】
ここで、図２の説明を終了し、図１に戻って説明する。
【００３６】
先端チャック押離部４００は、先端チャック１２０に１対１に相応して並べられた複数の突起４１０を備えている。ドラム１００が回転して先端チャック１２０が先端チャック押離部４００の真下に来ると、先端チャック押離部４００は先端チャック１２０へ向けて移動し、突起４１０は相応する先端チャック１２０を押してチャックを開く。給版ガイド２２０から原版が給版され、原版の先端が先端チャック１２０とドラム１００との間の隙間に固定されると、先端チャック押離部４００は元の位置に移動し、突起４１０は先端チャック１２０を離してチャックを閉じる。
【００３７】
ローラ５００は、原版をドラム１００に巻きつけるときにドラム１００方向へ移動し、原版をドラム１００に密着させるためのローラである。
【００３８】
露光部６００は、ワークステーション（図示しない）などから入力した画像データに基づいた光ビームをドラム１００の回転軸方向に移動させながらドラム１００に照射し、ドラム１００に巻きつけられた原版を露光する。
【００３９】
画像露光装置１０は、基本的には以上のように構成されており、次に、画像露光装置１０に原版を取り付けて、原版を露光する一連の手順について説明する。
【００４０】
ドラム１００が回転して、先端チャック１２０が先端チャック押離部４００の真下に移動すると、先端チャック押離部４００は先端チャック１２０へ向けて駆動し、各突起４１０は相応する先端チャック１２０を押してチャックが開く。
【００４１】
図示しないカセット内に収容された原版は、給排版ユニット２００の給版ガイド２２０によってドラム１００へ給版されて、原版の先端が先端チャック１２０とドラム１００との間に形成された隙間に装着される。原版の先端が正しい位置に装着されると、先端チャック押離部４００は元の位置に移動し、その移動に伴って突起４１０が先端チャック１２０から離れて、先端チャック１２０とドラム１００との間の隙間が閉じる。
【００４２】
原版の先端が先端チャック１２０によって把持されると、ドラム１００は矢印ａの方向に回転し、ローラ５００はドラム１００との間に原版を挟んで原版をドラム１００に密着させる。また、図示しないセンサによって原版の後端が後端チャック保持部３００の真下に移動したことが検知されると、後端チャック保持部３００は、待機位置からドラム１００の周面に向けて移動する。まず、後端用押さえ３２０が原版に接触する。続いて、後端チャック３１０が原版に接触し、後端チャック３１０とドラム１００との間に原版を挟んで、図２に示すコマ部３１１がドラム１００の溝１１０に嵌入される。後端チャック保持部３００がコマ部３１１を回転させて後端チャック３１０がドラム１００に固定されると、後端チャック保持部３００は後端チャック３１０をドラム１００に残して待機位置に移動する。原版の後端が後端チャック３１０に把持されると、ローラ５００は元の位置に移動し、ドラム１００は矢印ａの方向に高速回転する。
【００４３】
ドラム１００が高速回転するのに伴い、露光部６００は、光ビームを回転軸方向に移動させながらドラム１００へ向けて照射し、原版を露光する。
【００４４】
露光が終了すると、原版の後端が後端チャック保持部３００の真下にくるようにドラム１００が回転する。
【００４５】
後端チャック保持部３００は後端チャック３１０に向けて移動して、図２に示すコマ部３１１をドラム１００に固定したときと逆に回転させ、後端チャック３１０をドラム１００から取り外す。
【００４６】
後端チャック３１０が取り外されると、ドラム１００は、先端チャック１２０が先端チャック押離部４００の真下にくるように矢印ｂ方向に回転する。先端チャック押離部４００は、先端チャック１２０を開き、原版の先端を開放する。このとき、原版の後端は排版ガイド２１０上に乗っており、排版ガイド２１０が図示しない排版口へ向けて原版を運び、露光処理が終了する。
【００４７】
次に、本発明のドラム型露光装置の特徴である後端チャック保持部３００と後端チャック３１０と後端用押さえ３２０について詳しく説明する。
【００４８】
図３は、図１に示す画像露光装置１０の正面図である。以下では、説明の便宜上、この図３で左端に示されているものを他の図でも左端と表現し、この図２で右端に示されているものを他の図でも右端と表現して説明する。
【００４９】
図３に示すように、後端チャック保持部３００は、複数の後端チャック３１０を、ドラム１００の溝１１０に１対１に相応するように並べて保持している。後端チャック保持部３００は、さらに、右端の後端チャック３１０以外の後端チャック３１０に１対１に相応するように複数の後端用押さえ３２０を並べて保持している。また、後端チャック３１０と後端用押さえ３２０とでは、後端用押さえ３２０の方がドラム１００の周面に近づくように保持されており、左端の後端チャック３１０に近い位置にある後端用押さえ３２０ほど、ドラム１００の周面に近い位置にくるように保持されている。この左端の後端チャック３１０は、本発明にいう所定のチャックの一例にあたる。
【００５０】
図４は、後端チャック保持部３００が、待機位置（Ａ）（Ｂ）、後端用押さえ３２０が原版に接触したときの第２の位置（Ｃ）（Ｄ）、および後端チャック３１０が原版に接触したときの第３の位置（Ｅ）（Ｆ）にあるときの、右端の後端チャック３１０およびその隣の後端チャック３１０を示す図である。
【００５１】
図４（Ａ）（Ｂ）は、後端チャック保持部３００が待機位置にあるときの、右端の後端チャック３１０およびその隣の後端チャック３１０の側面図（Ａ）および正面図（Ｂ）である。
【００５２】
側面図（Ａ）は、後端チャック３１０と後端用押さえ３２０とでは、後端用押さえ３２０の方がドラム１００の周面に近づけて保持されていることを示している。また、正面図（Ｂ）は、右端の後端チャック３１０には、相応する後端用押さえ３２０が備えられていないことを示している。ここで、この待機位置から後端用保持部３００をドラム１００に向けて移動させて、後端用押さえ３２０を原版に接触させる。
【００５３】
図４（Ｃ）（Ｄ）は、後端チャック保持部３００が第２の位置にあるときの、右端の後端チャック３１０およびその隣の後端チャック３１０の側面図（Ｃ）および正面図（Ｄ）である。
【００５４】
側面図（Ｃ）で示すように、後端チャック保持部３００が第２の位置にあるときには、後端用押さえ３２０は原版に接触しているが、後端用チャック３１０はまだ原版に接触していない。また、正面図（Ｄ）で示すように、原版のうちの右端の後端用チャック３１０で挟み込む部分はドラム１００に押しつけられていないが、その隣の後端チャック３１０で挟みこむ部分は後端用押さえ３２０によってドラムに押さえつけられている。ここで、後端チャック保持部３００をドラム１００に向けてさらに移動させて、後端チャック３１０を原版に接触させる。
【００５５】
図４（Ｅ）（Ｆ）は、後端チャック保持部３００が第３の位置にあるときの、右端の後端チャック３１０およびその隣の後端チャック３１０の側面図（Ｅ）および正面図（Ｆ）である。
【００５６】
後端チャック保持部３００が第３の位置にあるときには、右端の後端チャック３１０およびその隣の後端チャック３１０ともに原版に接触しており、後端チャック保持部３００は、この状態で後端チャック３１０をドラム１００に固定する。
【００５７】
図４では、右端の後端チャック３１０およびその隣の後端チャック３１０のみ示したが、図３に示すように、後端用押さえ３２０は複数保持されており、左端の後端チャック３１０に近い位置にあるものほどドラム１００の周面に近づけて保持されている。したがって、後端用押さえ３２０が原版を左端から順にドラム１００に押さえつけてから、後端チャック３１０がドラム１００に固定されるため、原版のしわを開放しながら原版をドラムに固定することができる。
【００５８】
以上で、チャックをドラムに固定する前に、押さえ補助部材を使ってシート材のしわを開放する本発明の第１実施形態が適用された画像露光装置の説明を終了し、次に、本発明の第２実施形態が適用された画像露光装置について説明する。この第２実施形態は、チャックの形状などは第１実施形態と同様な構成を有するが、押さえ補助部材に相当する要素がないことと、チャック保持部をドラムに向けて移動させる方法が相違している。以下では、第１実施形態との相違点に注目して説明する。
【００５９】
図５は、本実施形態における画像露光装置の正面図である。
【００６０】
画像露光装置２０は、図３に示す第１実施形態の画像露光装置１０の後端チャック保持部３００と同様のチャック保持部７００、後端チャック３１０と同様のチャック７２０を備えているが、画像露光装置１０の後端用押さえ３２０に対応する要素を備えていない点と、チャック保持部７００が移動する際にガイドであるレール７１０を有するという点とが画像露光装置１０とは相違している。
【００６１】
図５（Ａ）は、チャック保持部７００が待機位置にあるときの画像露光装置２０を示す図である。チャック保持部７００が待機位置にあるときには、チャック７２０はドラム１００に接触していない。ここで、チャック保持部７００を、レール７１０を伝って、右端のチャック７２０を下に傾けながらドラム１００に向かう方向に移動させる。
【００６２】
図５（Ｂ）は、チャック保持部７００が図５（Ａ）に示す待機位置から移動して右端のチャック７２０がドラム１００に接触する位置にあるときの画像露光装置２０を示す図である。このとき、右端のチャック７２０はドラム１００に接触しているが、そのほかのチャック７２０はまだドラム１００に接触していない。この図５（Ｂ）の位置から、さらに、チャック保持部７００をドラム１００に向けて移動させる。
【００６３】
図５（Ｃ）は、チャック保持部７００が、図５（Ｂ）に示す位置からさらに移動した位置にあるときの画像露光装置２０を示す図である。チャック保持部７００を図５（Ｂ）に示す位置から、図５（Ｃ）に示す位置まで動かすと、右端のチャック７２０に近い位置にあるチャック７２０から順にドラム１００に接触し、チャック保持部７００が図５（Ｃ）に示す位置に移動すると、全てのチャック７２０がドラム１００に接触する。この状態で、第１実施形態と同様にチャック７２０をドラム１００に固定することで、原版のしわを右端から伸ばしてから原版をドラム１００に固定することができる。
【００６４】
以上で、チャック保持部を傾けながら移動させてチャックを原版に接触させる順番を調節することで、原版のしわを開放する本発明の第２実施形態が適用された画像露光装置の説明を終了し、次に、本発明の第３実施形態が適用された画像露光装置について説明する。この第３実施形態は、チャックの形状などは第１実施形態および第２実施形態と同様な構成を有するが、第１実施形態の押さえ補助部材に相当する要素がないことと、チャック保持部がチャックを保持する方法とが相違している。以下では、第１実施形態および第２実施形態との相違点に注目して説明する。
【００６５】
図６は、本実施形態における画像露光装置の正面図である。
【００６６】
画像露光装置３０は、図３に示す第１実施形態の画像露光装置１０の後端チャック保持部３００と同様のチャック保持部８００、後端チャック３１０と同様のチャック８１０を備えているが、画像露光装置１０の後端用押さえ３２０に対応する要素を備えていない点と、チャック保持部８００がチャック８１０を保持する方法とが画像露光装置１０とは相違している。第１実施形態の画像露光装置１０は、左端の後端チャック３１０に近い位置にある後端用押さえ３２０ほどドラム１００の周面に近づけて保持されており、この後端用押さえ３２０が原版に接触する順番を調節することによって原版のしわを伸ばしていたが、本実施形態の画像露光装置３０は、チャック保持部８００が、右端のチャック８１０に近い位置にあるチャック８１０ほどドラム１００の周面に近づけて保持して、チャック８１０が原版に接触する順番を調節することによって原版のしわを開放する。本実施形態においては、右端のチャック８１０が本発明にいう所定のチャックの一例に相当する。チャック保持部８００は、チャック８１０がドラム１００に接触して押し付けられたときに、チャック８１０の一部がチャック保持部８００の内部に嵌入するようにチャック８１０を保持しており、待機位置からドラム１００の方へ向けて移動すると、右端のチャック８１０から順にドラム１００に接触する。全てのチャック８１０がドラム１００に接触した時点で、第１実施形態と同様にチャック８１０をドラム１００に固定することで、原版のしわを右端から伸ばしながら原版をドラム１００に固定することができる。
【００６７】
ここで、上記では、本発明にいうチャックを後端チャックに適用した例について説明したが、このチャックは後端チャックに限るものではなく、例えば、先端チャックに適用してもよい。
【００６８】
また、上記では、本発明にいう所定のチャックとして右端あるいは左端のチャックを適用した例について説明したが、この所定のチャックは端のチャックである必要はなく、例えば、中央のチャックを適用してもよい。
【００６９】
また、上記では、後端チャックに１対１に相応した位置に後端用押さえを保持する画像露光装置について説明したが、本発明のドラム型露光装置は、チャックに１対１に相応した位置に押さえ補助部材を保持するものである必要はなく、ドラムの回転軸に沿う方向に並べられた押さえ補助部材を保持するドラム型露光装置であればよい。
【００７０】
さらに、上記では、本発明のシート材固定装置を画像露光装置に適用する例ついて説明したが、このシート材固定装置は、ドラムにシート材を固定して動作する装置であればよく、ドラム型露光装置以外の装置等に適用されてもよい。
【００７１】
【発明の効果】
以上、説明したように、本発明によれば、シート材にしわを寄せずにシート材をドラムに固定するシート材固定装置、およびドラム型露光装置を提供することができる。
【図面の簡単な説明】
【図１】本発明の一実施形態が適用された画像露光装置を示す概略構成図である。
【図２】後端チャック３１０の先端を示す図である。
【図３】画像露光装置１０の正面図である。
【図４】後端チャック保持部３００が、待機位置、第２の位置、第３の位置にあるときの、右端の後端チャック３１０およびその隣の後端チャック３１０を示す図である。
【図５】本発明の第２実施形態が適用された画像露光装置を示す図である。
【図６】本発明の第３実施形態が適用された画像露光装置を示す図である。
【符号の説明】
１０、２０，３０　　画像露光装置
１００　　ドラム
１１０　　溝
１２０　　先端チャック
２００　　給排版ユニット
２１０　　排版ガイド
２２０　　給版ガイド
３００　　後端チャック保持部
３１０　　後端チャック
３２０　　後端用押さえ
４００　　先端チャック押離部
４１０　　突起
５００　　ローラ
６００　　露光部
７００　　チャック保持部
７１０　　レール
７２０　　チャック
８００　　チャック保持部
８１０　　チャック
【図１】
2004142873.tif 000003
【図２】
2004142873.tif 000004
【図３】
2004142873.tif 000005
【図４】
2004142873.tif 000006
【図５】
2004142873.tif 000007
【図６】
2004142873.tif 000008